(57)【特許請求の範囲】
【請求項１】
ディスク記録媒体から記録信号を読み出す読出手段と、
前記読み出した記録信号のエンベロープの高電位側の電位（上側電位）、および、前記読み出した記録信号のエンベロープの低電位側の電位（下側電位）を検出するエンベロープ電位検出手段と、
前記読み出した記録信号のアイパターンの中心電位を検出するアイパターン中心電位検出手段であって、電位比較手段と、中間電位検出手段と、積分手段とを有し、
前記電位比較手段は、第１入力端子に入力される前記読み出した記録信号と、第２入力端子に入力される前記積分手段の電圧出力信号との大小比較を行い、その結果を非反転論理出力と反転論理出力として出力し、
前記中間電位検出手段は、前記電位比較手段から出力される前記非反転論理出力と前記電位比較手段から出力される前記反転論理出力とを互いに等しい抵抗値を持つ抵抗器をそれぞれ介して増幅器の同一の入力端子に入力することにより、前記電位比較手段から出力される前記非反転論理出力と前記電位比較手段から出力される前記反転論理出力との中間電位を出力し、
前記積分手段は、前記中間電位検出手段から出力される前記中間電位と、前記電位比較手段から出力される反転論理出力との差を積分して前記電位比較手段の第２入力端子に印加するとともに、前記記録信号のアイパターンの中心電位検出信号として出力する、
アイパターン中心電位検出手段と、
前記記録信号の電位を、前記エンベロープ電位検出手段で検出した前記上側電位と前記アイパターン中心電位手段で検出したアイパターンの中心電位との電位差、および、前記アイパターンの中心電位と前記エンベロープ電位検出手段で検出した前記下側電位との電位差に応じて識別して、前記記録信号をディジタルデータに変換する変換手段と、
前記変換したディジタルデータを復号し、前記ディスク記録媒体に記録された記録データを再生する再生手段と
を有するディスク記録信号再生装置。
【請求項２】
前記変換手段は、
前記エンベロープ電位検出手段で検出した前記上側電位から前記アイパターン中心電位手段で検出したアイパターンの中心電位までの間の電位を所定数に等分し、前記アイパターン中心電位手段で検出したアイパターンの中心電位から前記エンベロープ電位検出手段で検出した前記下側電位までの間の電位を前記所定数に等分した複数の比較電位を生成する比較電位生成手段と、
該生成した前記複数の比較電位それぞれと前記記録信号の電位とを比較する比較手段と、
前記生成した前記複数の比較電位それぞれと前記記録信号の電位との比較結果に応じた値の前記ディジタルデータを生成するディジタルデータ生成手段と
を有する、
請求項１に記載のディスク記録信号再生装置。
【請求項３】
ディスク記録媒体から記録信号を読み出し、
前記読み出した記録信号のエンベロープの高電位側の電位（上側電位）、および、前記読み出した記録信号のエンベロープの低電位側の電位（下側電位）を検出し、
前記読み出した記録信号のアイパターンの中心電位を検出するため、
前記読み出した記録信号と、後述する積分結果との大小比較を行い、その結果を非反転論理出力と反転論理出力として出力し、
前記非反転論理出力と前記反転論理出力とを互いに等しい抵抗値を持つ抵抗器をそれぞれ介して増幅器の同一の入力端子に入力することにより、前記非反転論理出力と前記反転論理出力との中間電位を出力し、
前記中間電位と前記電位を比較した得られた前記反転論理出力との差を積分して該積分結果を前記電位の比較のために提供するするとともに、前記記録信号のアイパターンの中心電位検出信号として出力し、
前記記録信号の電位を、前記エンベロープ検出した前記上側電位とアイパターンの中心電位との電位差、および、前記アイパターンの中心電位と前記エンベロープ検出した前記下側電位との電位差に応じて識別して、前記記録信号をディジタルデータに変換し、
前記変換したディジタルデータを復号し、前記ディスク記録媒体に記録された記録データを再生する、
ディスク記録信号再生方法。
【発明の詳細な説明】
【０００１】
【発明の属する技術分野】
本発明は、光磁気ディスク等のディスク記録媒体からデータを再生するディスク記録信号再生装置およびその方法に関する。
【０００２】
【従来の技術および発明が解決しようとする課題】
光磁気ディスク記録媒体（ディスク）から記録データを再生する場合、ディスクから記録信号を読み出し、アナログ／ディジタル変換（Ａ／Ｄ変換）して得られたディジタルデータをビタビ（Viterbi ）復号する方法が採られることが多い。
ディスクから歪みなく正常に読み出すことができた記録信号の波形は、図５（Ａ）に示す通りとなり、記録信号のアイパターンの中心の電位（中心電位）ＶEYE は、記録信号のエンベロープの高電位側（上側）の電位ＶETおよび低電位側（下側）の電位ＶEBの中間の値をとることになる。
【０００３】
図５は、ディスクから再生された記録信号の波形（アイパターンおよびエンベロープ）を示す図であって、（Ａ）は歪みがない記録信号の波形を示し、（Ｂ）は２次歪みがあり、アイパターンの中心が上側に変移した記録信号の波形を示し、（Ｃ）は２次歪みがあり、アイパターンの中心が下側に変移した記録信号の波形を示す。
【０００４】
例えば記録信号を８ビットのディジタルデータに変換する場合、上記Ａ／Ｄ変換は、通常、図５（Ａ）に示す歪みがない記録信号の波形のエンベロープの上側の電位（上側電位）ＶETを数値２５５（ＦＦｈ）に、下側の電位（下側電位）ＶEBを数値０（００ｈ）に対応付け、これらの範囲内の記録信号の電位を等間隔に数値１〜数値２５４に対応付けることにより行われる。従って、歪みがない記録信号の中心電位ＶEYE は、上側電位ＶETおよび下側電位ＶEBのちょうど中間の値、つまり、数値１２７に変換されることになり、中心電位ＶEYE を特定することができる。
【０００５】
しかしながら、記録時のディスクの温度、ディスク装置のサーボ系でのフォーカス量、および、レーザーパワー制御に対する設定値の誤差等によるディスクの熱の伝播特性の変化が原因となり、記録信号には、偶数次高調波を主な成分とする歪み（２次歪み）が発生しやすい。
２次歪みを起こした記録信号は、記録信号の電位が中心電位ＶEYE 以上の（上側）波形と、中心電位ＶEYE 以下の（下側）波形とが非対称となるので、図５（Ｂ），（Ｃ）にそれぞれ示すように、記録信号のアイパターンの中心は上側または下側に偏移してしまう。従って、歪みがない記録信号用に調整されたＡ／Ｄ変換回路で、歪みがある記録信号をＡ／Ｄ変換すると、記録信号の実際のアイパターンの中心の電位ＶEYE は、必ずしも数値１２７に変換されない。
【０００６】
以上説明したように、歪みがない記録信号用に調整されたＡ／Ｄ変換回路を用いて２次歪みがある記録信号をＡ／Ｄ変換すると、ディジタルデータの値が記録信号に正確に対応せず、また、アイパターンの中心電位ＶEYE も特定できない。従って、２次歪みがある記録信号をＡ／Ｄ変換したディジタルデータに対しては正確なビタビ復号を行い得ず、再生した記録データの誤り率が悪化する。
【０００７】
本発明は、上述した従来技術の問題点に鑑みてなされたものであり、ディスクから読み出した記録信号に偶数次高調波歪み、たとえば、２次歪みが生じていても、正確な記録データを再生可能なディスク記録信号再生装置およびその方法を提供することを目的とする。
また、本発明は、記録信号の波形に応じて、記録信号を非線形にアナログ／ディジタル変換して偶数次高調波歪み、たとえば、２次歪みを補正し、補正後のディジタルデータに対して正確な復号処理を行うことができるディスク記録信号再生装置およびその方法を提供することを目的とする。
また、本発明は、記録信号の波形に応じた偶数次高調波歪みの補正、たとえば、２次歪みの補正、および、正確な記録データの再生を、簡単な処理内容および低コストな装置で実現可能なディスク再生記録信号装置およびその方法を提供することを目的とする。
【０００８】
【課題を解決するための手段】
本発明によれば、
ディスク記録媒体から記録信号を読み出す読出手段と、
前記読み出した記録信号のエンベロープの高電位側の電位（上側電位）、および、前記読み出した記録信号のエンベロープの低電位側の電位（下側電位）を検出するエンベロープ電位検出手段と、
前記読み出した記録信号のアイパターンの中心電位を検出するアイパターン中心電位検出手段であって、
電位比較手段と、
中間電位検出手段と、
積分手段とを有し、
前記電位比較手段は、第１入力端子に入力される前記読み出した記録信号と、第２入力端子に入力される前記積分手段の電圧出力信号との大小比較を行い、その結果を非反転論理出力と反転論理出力として出力し、
前記中間電位検出手段は、前記電位比較手段から出力される前記非反転論理出力と前記電位比較手段から出力される前記反転論理出力とを互いに等しい抵抗値を持つ抵抗器をそれぞれ介して増幅器の同一の入力端子に入力することにより、前記電位比較手段から出力される前記非反転論理出力と前記電位比較手段から出力される前記反転論理出力との中間電位を出力し、
前記積分手段は、前記中間電位検出手段から出力される前記中間電位と、前記電位比較手段から出力される反転論理出力との差を積分して前記電位比較手段の第２入力端子に印加するとともに、前記記録信号のアイパターンの中心電位検出信号として出力する、
アイパターン中心電位検出手段と、
前記記録信号の電位を、前記エンベロープ電位検出手段で検出した前記上側電位と前記アイパターン中心電位手段で検出したアイパターンの中心電位との電位差、および、前記アイパターンの中心電位と前記エンベロープ電位検出手段で検出した前記下側電位との電位差に応じて識別して、前記記録信号をディジタルデータに変換する変換手段と、
前記変換したディジタルデータを復号し、前記ディスク記録媒体に記録された記録データを再生する再生手段と
を有するディスク記録信号再生装置が提供される。
【０００９】
好ましくは、前記変換手段は、前記エンベロープ電位検出手段で検出した前記上側電位から前記アイパターン中心電位手段で検出したアイパターンの中心電位までの間の電位を所定数に等分し、前記アイパターン中心電位手段で検出したアイパターンの中心電位から前記エンベロープ電位検出手段で検出した前記下側電位までの間の電位を前記所定数に等分した複数の比較電位を生成する比較電位生成手段と、該生成した前記複数の比較電位それぞれと前記記録信号の電位とを比較する比較手段と、前記生成した前記複数の比較電位それぞれと前記記録信号の電位との比較結果に応じた値の前記ディジタルデータを生成するディジタルデータ生成手段とを有する。
【００１０】
また本発明によれば、
ディスク記録媒体から記録信号を読み出し、
前記読み出した記録信号のエンベロープの高電位側の電位（上側電位）、および、前記読み出した記録信号のエンベロープの低電位側の電位（下側電位）を検出し、
前記読み出した記録信号のアイパターンの中心電位を検出するため、
前記読み出した記録信号と、後述する積分結果との大小比較を行い、その結果を非反転論理出力と反転論理出力として出力し、
前記非反転論理出力と前記反転論理出力とを互いに等しい抵抗値を持つ抵抗器をそれぞれ介して増幅器の同一の入力端子に入力することにより、前記非反転論理出力と前記反転論理出力との中間電位を出力し、
前記中間電位と前記電位を比較した得られた前記反転論理出力との差を積分して該積分結果を前記電位の比較のために提供するするとともに、前記記録信号のアイパターンの中心電位検出信号として出力し、
前記記録信号の電位を、前記エンベロープ検出した前記上側電位とアイパターンの中心電位との電位差、および、前記アイパターンの中心電位と前記エンベロープ検出した前記下側電位との電位差に応じて識別して、前記記録信号をディジタルデータに変換し、
前記変換したディジタルデータを復号し、前記ディスク記録媒体に記録された記録データを再生する、
ディスク記録信号再生方法が提供される。
【００１４】
【発明の実施の形態】
以下、本発明の実施形態を説明する。
図１は、本発明に係るディスク記録信号再生装置（以下、ディスク再生装置と略す）１の構成を示す図である。
図１に示すように、ディスク再生装置１は、ピックアップ（ＰＵ）１０、アンプ（ＡＭＰ）１２、等化回路（ＥＱ）１４、変換部２０、ビタビ復号回路２２およびデコーダ回路２４から構成される。
【００１５】
変換部２０は、コンパレータ回路２００、ＰＬＬ回路２０２、エンベロープ検出回路２１０、アイパターン中心検出回路２２０およびアナログ／ディジタル変換回路（Ａ／Ｄ変換回路）２３０から構成される。
ディスク再生装置１は、これらの構成部分により、光磁気ディスク２から記録信号を読み取り、記録信号の２次歪みを補償してディジタルデータに変換し、光磁気ディスク２に記録されている記録データを再生する。
なお、図１には、ディスク再生装置の信号処理系統を主として示してあり、図示の簡略化のために、本発明の説明に直接関係を有さないディスク回転駆動系統、サーボ系統等の構成部分は、適宜、省略して示してある。
また、エンベロープ検出回路２１０、アイパターン中心検出回路２２０およびＡ／Ｄ変換回路２３０の構成は、それぞれ図２〜図４を参照して後述する。
【００１６】
ピックアップ１０は、光磁気ディスク２に対してレーザー光を照射し、光磁気ディスク２で反射されたレーザー光を検出して、電気的な記録信号Ｓ１０に変換し、アンプ１２に対して出力する。
アンプ１２は、記録信号Ｓ１０を増幅して、記録信号Ｓ１２として等化回路１４に対して出力する。
等化回路１４は、記録信号Ｓ１４を等化処理して記録信号ＶRFを生成し、変換部２０のコンパレータ回路２００、エンベロープ検出回路２１０およびアイパターン中心検出回路２２０に対して出力する。
【００１７】
変換部２０において、コンパレータ回路２００は、所定の閾値電位と記録信号ＶRFとを比較し、ディジタルデータに変換してＰＬＬ回路２０２に対して出力する。
ＰＬＬ回路２０２は、コンパレータ回路２００から入力されたディジタルデータ、つまり、記録信号ＶRFに同期したクロック信号ＣＫを生成してＡ／Ｄ変換回路２３０に対して出力する。
【００１８】
図２は、図１に示したエンベロープ検出回路２１０の構成を示す図である。
図２に示すように、エンベロープ検出回路２１０は、上側電位検出回路２１２、下側電位検出回路２１４およびバッファ回路２１６，２１８から構成され、記録信号ＶRFのエンベロープの高電位側の電位（上側電位ＶET）および低電位側の電位（下側電位ＶEB）を検出してＡ／Ｄ変換回路２３０に対して出力する（図５（Ａ）〜図５（Ｃ）参照）。
【００１９】
上側電位検出回路２１２は、オペアンプＯＰ01、ダイオードＤ１，Ｄ２、抵抗器Ｒ02、Ｒ03，Ｒ04，Ｒ08およびコンデンサＣ01から構成される。
上側電位検出回路２１２は、オペアンプＯＰ01、ダイオードＤ１，Ｄ２および抵抗器Ｒ02，Ｒ03，Ｒ04で構成されたエンベロープ検波（検出）回路によりディスクから読みだした記録信号ＶRFの上側電位の最高値を検出し、検出した最大値を抵抗器Ｒ08およびコンデンサＣ01から構成されるローパスフィルタによりフィルタリングし、バッファ回路２１６に対して出力する。
バッファ回路２１６（オペアンプＯＰ03）は、上側電位検出回路２１２の出力信号をバッファリングし、上側電位ＶETとしてＡ／Ｄ変換回路２３０に対して出力する。
【００２０】
下側電位検出回路２１４は、オペアンプＯＰ02、ダイオードＤ３，Ｄ４、抵抗器Ｒ05，Ｒ06，Ｒ07，Ｒ09およびコンデンサＣ02から構成される。
下側電位検出回路２１４は、オペアンプＯＰ02、ダイオードＤ３，Ｄ４および抵抗器Ｒ05，Ｒ06，Ｒ07で構成されたエンベロープ検波（検出）回路によりディスクから読みだした記録信号ＶRFの下側電位の最低値を検出し、検出した最低値を抵抗器Ｒ09およびコンデンサＣ02から構成されるローパスフィルタによりフィルタリングし、バッファ回路２１８に対して出力する。
バッファ回路２１８（オペアンプＯＰ04）は、下側電位検出回路２１４の出力信号をバッファリングし、下側電位ＶEBとしてＡ／Ｄ変換回路２３０に対して出力する。
【００２１】
図３は、図１に示したアイパターン中心検出回路２２０の構成を示す図である。
図３に示すように、アイパターン中心検出回路２２０は、コンパレータ回路（ＣＰ11）２２２、抵抗器Ｒ11，Ｒ12、バッファ回路（ＯＰ11）２２４、積分回路２２６およびバッファ回路（ＯＰ13）２２８から構成される。
積分回路２２６は、オペアンプＯＰ13、抵抗器Ｒ13，Ｒ14およびコンデンサＣ11，Ｃ12から構成される。
【００２２】
アイパターン中心検出回路２２０は、これらの構成部分により、記録信号ＶRFのアイパターンの中心電位ＶEYE （図５（Ａ）〜図５（Ｃ）参照）を検出し、Ａ／Ｄ変換回路２３０に対して出力する。
コンパレータ回路２２２は、反転入力端子に入力される積分回路２２６の出力信号Ｓ２２６の電位と、非反転入力端子に入力される記録信号ＶRFの電位とを比較し、記録信号ＶRFの電位が積分回路２２６の出力信号Ｓ２２６の電位よりも高い場合に、非反転出力端子から論理値１（≒Ｖcc、例えば＋５Ｖ）を、これ以外の場合には論理値０（例えば≒０Ｖ）を出力し、反転出力端子からは非反転出力端子と逆の論理値を出力する。
【００２３】
コンパレータ回路２２２の非反転出力端子および反転出力端子の出力信号は、それぞれ抵抗器Ｒ11，Ｒ12を介してバッファ回路２２４（オペアンプＯＰ11）の非反転入力端子に対して出力され、反転出力端子の出力信号は積分回路２２６のオペアンプＯＰ12の反転入力端子に対して出力される。
【００２４】
バッファ回路２２４は、コンパレータ回路２２２の出力信号をバッファリングし、積分回路２２６のオペアンプＯＰ12の非反転入力端子に対して出力する。なお、抵抗器Ｒ11，Ｒ12の抵抗値を等しくすると（Ｒ11＝Ｒ12）、バッファ回路２２４の出力信号の電位は、論理値１である場合のコンパレータ回路２２２の出力信号の電位と、出力信号が論理値０である場合のコンパレータ回路２２２の出力信号の電位との中間値となる。
【００２５】
積分回路２２６のオペアンプＯＰ13、抵抗器Ｒ13およびコンデンサＣ11は、バッファ回路２２４の出力信号Ｖm から、コンパレータ回路２２２の非反転出力端子の出力信号を減算した信号を積分する。この積分値は、積分回路２２６のコンデンサＣ12と抵抗器Ｒ14とから構成されるローパスフィルタ（ＬＰＦ1 ）によりフィルタリングされ、コンパレータ回路２２２（ＣＰ11）の反転入力端子およびバッファ回路２２８（ＯＰ13）の出力信号Ｓ２２６として非反転入力端子に対して出力される。
【００２６】
積分回路２２６の出力信号Ｓ２２６の電位の平均値は、コンパレータ回路２２２の反転出力端子の出力信号が５０％デューティとなる値、つまり、記録信号ＶRFのアイパターンの中心電位ＶEYE （＝記録信号ＶRFのオフセット電位）と等しい値に収束する。
バッファ回路２２８は、積分回路２２６の出力信号Ｓ２２６をバッファリングし、中心電位ＶEYE としてＡ／Ｄ変換回路２３０に対して出力する。
【００２７】
図４は、図１に示したＡ／Ｄ変換回路２３０の構成を示す図である。
図４に示すように、Ａ／Ｄ変換回路２３０は、２５６個の抵抗器Ｒd から構成される抵抗回路２３２、２５５個のコンパレータ回路２４６1 〜２４６255 から構成される比較回路２３４およびエンコード回路２３８から構成される。
抵抗回路２３２は、端子ａ〜端子ｂ間に直列に接続された１２８個の抵抗器Ｒd により、上側電位ＶET〜中心電位ＶEYE の間の電位を１２７等分し、比較電位Ｖref1〜Ｖerf127を生成して、比較回路２３４のコンパレータ回路２４６1 〜２４６127 の反転入力端子に対して出力する。
【００２８】
また、抵抗回路２３２は、端子ｂ〜端子ｃ間に直列に接続された１２８個の抵抗器Ｒd により、中心電位ＶEYE 〜下側電位ＶEBの間の電位を１２８等分し、比較電位Ｖref128〜Ｖerf255を生成して、比較回路２３４のコンパレータ回路２４６1 〜２４６127 の反転入力端子に対して出力する。
【００２９】
比較回路２３４は、記録信号ＶRFの電位を比較電位Ｖref1〜Ｖerf255を用いて識別する。すなわち、比較回路２３４の各コンパレータ回路２４６1 〜２４６255 それぞれは、比較電位Ｖref1〜Ｖerf255それぞれと、記録信号ＶRFの電位とを比較し、比較電位Ｖref1〜Ｖerf255が記録信号ＶRFの電位よりも高い場合に出力信号Ｓ２４６1 〜Ｓ２４６255 を論理値０とし、低い場合に論理値１としてエンコード回路２３８に対して出力する。
【００３０】
エンコード回路２３８は、ＰＬＬ回路２０２から入力されるクロック信号ＣＫに同期して、比較回路２３４の出力信号Ｓ２４６1 〜Ｓ２４６255 の論理値に応じた値のディジタルデータＱ7 〜Ｑ0 を生成し、ビタビ復号回路２２に対して出力する。
つまり、Ａ／Ｄ変換回路２３０は、これらの構成部分により、記録信号ＶRFを、中心電位ＶEYE を境界として非線形にディジタルデータＱ7 〜Ｑ0 に変換する。従って、記録信号ＶRFの電位が上側電位ＶETに等しい場合（ＶRF＝ＶET、量子化誤差を考慮せず）、ディジタルデータＱ7 〜Ｑ0 の値は２５５（ＦＦｈ）となり、記録信号ＶRFの電位が中心電位ＶEYE に等しい場合（ＶRF＝ＶEYE ）、ディジタルデータＱ7 〜Ｑ0 の値は１２７（０Ｆｈ）となり、記録信号ＶRFの電位が下側電位ＶEBに等しい場合（ＶRF＝ＶEB）、ディジタルデータＱ7 〜Ｑ0 の値は０（００ｈ）になる。
【００３１】
以上説明したように、変換部２０によれば、２次歪みがない記録信号ＶRF（図５（Ａ））、２次歪みがあり、中心電位ＶEYE が上側に偏移した記録信号ＶRF（図５（Ｂ））、および、中心電位ＶEYE が上側に偏移した記録信号ＶRF（図５（Ｃ））いずれの電位も常に、上側電位ＶET以下で中心電位ＶEYE より高い場合には数値２５５〜数値１２８の範囲のディジタルデータＱ7 〜Ｑ0 に変換され、中心電位ＶEYE 以下で下側電位ＶEB以上の場合には数値１２７〜数値０の範囲のディジタルデータＱ7 〜Ｑ0 に変換される。つまり、記録信号の上側と下側とで数値の範囲が対称になるように変換され、記録信号の２次歪みが補償される。
【００３２】
ビタビ復号回路２２（図１）は、変換部２０から入力されたディジタルデータＱ7 〜Ｑ0 をビタビ復号し、デコーダ回路２４に対して出力する。
デコーダ回路２４は、ビタビ復号されたディジタルデータをデコードし、光磁気ディスク２に記録された記録データＯＵＴを再生し、出力する。
【００３３】
以下、ディスク再生装置１の動作を説明する。
ピックアップ１０（図１）は、光磁気ディスク２から記録信号を読み出し、アンプ１２は記録信号を増幅し、等化回路１４は記録信号を等化処理して変換部２０に対して出力する。
変換部２０において、コンパレータ回路２００およびＰＬＬ回路２０２は、入力された記録信号ＶRFに同期したクロック信号ＣＫを生成し、Ａ／Ｄ変換回路２３０に対して出力する。
【００３４】
エンベロープ検出回路２１０（図２）は、入力された記録信号ＶRFのエンベロープの上側電位ＶETおよび下側電位ＶEBを検出し、Ａ／Ｄ変換回路２３０に対して出力する。
アイパターン中心検出回路２２０は、記録信号ＶRFのアイパターンの中心電位ＶEYE を検出し、Ａ／Ｄ変換回路２３０に対して出力する。
【００３５】
Ａ／Ｄ変換回路２３０（図３）は、ＰＬＬ回路２０２から入力されたクロック信号に同期して、記録信号ＶRFのアイパターンの中心電位ＶEYE を境界として記録信号ＶRFを非線形にＡ／Ｄ変換し、上側電位ＶET〜中心電位ＶEYE の範囲の記録信号ＶRFの電位、および、中心電位ＶEYE 〜下側電位ＶEBの範囲の記録信号ＶRFの電位を、それぞれ数値２５５〜数値１２８および数値１２７〜数値０の範囲のディジタルデータＱ7 〜Ｑ0 に変換し、記録信号ＶRFの２次歪みを補償する。
【００３６】
ビタビ復号回路２２（図１）は、変換部２０により２次歪みが補償されたディジタルデータＱ7 〜Ｑ0 をビタビ復号し、デコーダ回路２４は、ビタビ復号されたディジタルデータをデコードし、光磁気ディスク２に記録された記録データＯＵＴを再生する。
【００３７】
以上述べたように、本発明の実施の形態に係るディスク記録信号再生装置１によれば、光磁気ディスク２から読み出した記録信号ＶRFの２次歪みを変換部２０において補正するので、ビタビ復号回路２２において常に最適なビタビ復号が可能になる。従って、再生後の記録データに誤りが少なくなり、記録データ再生の信頼性が向上する。
また、本発明の実施の形態に係るディスク記録信号再生装置１に付加すべきエンベロープ検出回路２１０およびアイパターン中心検出回路２２０の構成および処理の内容は比較的簡単であり、ディスク再生装置１全体に占めるハードウェア量が少なくて済む。従って、これらの構成部分の付加により、ディスク記録信号再生装置１が著しくコスト高になることはない。
【００３８】
なお、同一の機能および性能を実現可能である限り、ディスク再生装置１の各構成部分は、ハードウェア的に実現されるか、ソフトウェア的に実現されるかを問わない。
また、本発明の実施の形態に係るディスク記録信号再生装置１は、例えば伝送路を経た伝送信号等、他の偶数次高調波歪み、たとえば、２次歪みを含みうる信号からのデータの再生、および、他の記録媒体から再生した偶数次高調波歪み、たとえば、２次歪みを含みうる記録信号の再生に応用可能である。
【００３９】
【発明の効果】
以上説明したように、本発明に係るディスク記録信号再生装置およびその方法によれば、ディスクから読み出した記録信号に偶数次高調波歪み、たとえば、２次歪みが生じていても、正確な記録データを再生可能である。
また、本発明に係るディスク記録信号再生装置およびその方法によれば、記録信号の波形に応じて、記録信号を非線形にアナログ／ディジタル変換して偶数次高調波歪み、たとえば、２次歪みを補正し、補正後のディジタルデータに対して正確な復号処理を行うことができる。
また、本発明に係るディスク記録信号再生装置によれば、記録信号の波形に応じた偶数次高調波歪み、たとえば、２次歪みの補正、および、正確な記録データの再生を、簡単な処理内容および低コストな回路構成で実現可能である。
【図面の簡単な説明】
【図１】本発明に係るディスク再生装置の構成を示す図である。
【図２】図１に示したエンベロープ検出回路の構成を示す図である。
【図３】図１に示したアイパターン中心検出回路の構成を示す図である。
【図４】図１に示したＡ／Ｄ変換回路の構成を示す図である。
【図５】ディスクから再生された記録信号の波形を示す図であって、（Ａ）は歪みがない記録信号の波形を示し、（Ｂ）は２次歪みがあり、アイパターンの中心が上側に変移した記録信号の波形を示し、（Ｃ）は２次歪みがあり、アイパターンの中心が下側に変移した記録信号の波形を示す。
【符号の説明】
１…ディスク再生装置、２…光磁気ディスク、１０…ピックアップ、１２…アンプ、１４…等化回路、２０…変換部、２００…コンパレータ回路、２０２…ＰＬＬ回路、２１０…エンベロープ検出回路、２１２…上側電位検出回路、２１４…下側電位検出回路、２１６，２１８…バッファ回路、２２０…アイパターン中心検出回路、２２２…コンパレータ回路、２２４…バッファ回路、２２６…積分回路、２２８…バッファ回路、２３０…Ａ／Ｄ変換回路、２３２…抵抗回路、２３４…比較回路、２４６1 〜２４６255 …コンパレータ回路、２３８…エンコード回路、２２…ビタビ復号回路、２４…デコーダ回路
【図１】
0003858290.tif 000002
【図２】
0003858290.tif 000003
【図３】
0003858290.tif 000004
【図４】
0003858290.tif 000005
【図５】
0003858290.tif 000006